(57)【要約】【課題】折り畳み式戸外バスケットゴールの構造を提供する。【解決手段】  主にバックボード、ゴールフレーム、折り畳み骨組み構造、布、シートによって構成される。該バックボードは四枚の折り畳みボードから組み立てた四方形のボードであり、折り畳んで収納、開いて使用する。バックボードの背部に二本の棒を設置する。該ゴールフレームはバックボードの上で鎖合して固定する。該折り畳み骨組み構造は数本の骨組み一、骨組み二、骨組み三、骨組み四、骨組み五と数個の接合関節一、接合関節二、接合関節三及び交差棒によって構成する。該骨組み一、骨組み二、骨組み三、骨組み四、骨組み五の長さがそれぞれ異なる丸い棒の骨組みであり、該交差形状構造は二本の交差棒によって構成する。該布はバックボードから骨組み一の末端まで囲み、ボールが飛び出るのを防止し、該シートは骨組み一の間に敷き、シュートした後のボールをキャッチする。【選択図】  図1
0003141201.tif 000002
【実用新案登録請求の範囲】
【請求項１】
バックボード、ゴールフレーム、折り畳み骨組み構造、布を含み、
該バックボードは四枚の折り畳みボードから組み立てた四方形のボードであり、折り畳んで収納、開いて使用し、バックボードの背部に二本の棒を設置し、
該ゴールフレームはバックボードの上で鎖合して固定し、
該折り畳み骨組み構造は数本の骨組み一、骨組み二、骨組み三、骨組み四、骨組み五と数個の接合関節一、接合関節二、接合関節三及び交差棒によって構成し、該骨組み一、骨組み二、骨組み三、骨組み四、骨組み五の長さがそれぞれ異なる丸い棒の骨組みであり、
該布はバックボードから骨組み一の末端まで囲み、ボールが飛び出るのを防止し、
該シートは骨組み一の間に敷き、シュートした後のボールをキャッチすることを特徴とする折り畳み式戸外バスケットゴールの構造。
【請求項２】
前記骨組み一の上方は半円状を呈し、各骨組み一の間を接合関節一で接続して折り曲げ可能な関節を形成し、各骨組み二と骨組み一をそれぞれ接合関節一、接合関節二、接合関節三と接続して折り曲げ可能な関節を形成し、骨組み三は骨組み四よりやや短く、骨組み四は骨組み五よりやや短く、骨組み四の中央にサイド側に回転できる骨組み四の関節を設け、骨組み五の中央にもサイド側に回転できる骨組み五の関節を設け、骨組み三、骨組み四、骨組み五は交差形状構造を介し、骨組み二と接合することを特徴とする請求項1記載の折り畳み式戸外バスケットゴールの構造。
【請求項３】
前記交差形状構造は二本の棒で構成し、該棒の中央にねじ穴を設け、二本の棒の中央にあるねじ穴を合わせてから鎖合すれば回転式の交差形状構造になることを特徴とする請求項1記載の折り畳み式戸外バスケットゴールの構造。
【請求項４】
前記接合関節三は二段階回転可能のデザインであり、上段はサイド側に回転できることを特徴とする請求項1記載の折り畳み式戸外バスケットゴールの構造。
【考案の詳細な説明】
【技術分野】
【０００１】
本考案はバスケットゴールの構造に関し、特に戸外で開いて使用し、折り畳んで収納できる折り畳み式戸外バスケットゴールの構造に関する。
【背景技術】
【０００２】
従来技術のバスケットゴールはゴールフレームとバックボードのみであり、固定物にバックボードを固定してからしかシュートの練習ができず、携帯して戸外で使用することができない。また、組み立てタイプの骨組み構造の場合、組み立てる際は一段ずつ嵌合し、使わないときは逐一ばらさないといけないなど、過程が複雑な上、ユーザーが使いにくく、組み立ても解体も一人ではできないなど、改善する必要があった。
【特許文献１】特開平７−３１７０３号公報
【考案の開示】
【考案が解決しようとする課題】
【０００３】
本考案の第一の目的は、骨と骨は嵌合式ではなく、関節で接合することで、素早くバスケットゴールを開いて設置することができるバスケットゴールの構造を提供することにある。
本考案の第二の目的は、該関節を支点に折り畳めば、素早く収納することができ、体積を小さくし、携帯して戸外で使用するのが便利なバスケットゴールの構造を提供することにある。
【課題を解決するための手段】
【０００４】
上述の目的を解決するために、本考案はバスケットゴールの構造を提供するものであり、主にバックボード、ゴールフレーム、折り畳み式骨組み構造、布とシートで構成するものである。骨組み同士は嵌合式ではなく、関節で接合することで、素早くバスケットゴールを開いて設置することができ、該関節を支点に折り畳めば、素早く収納することができ、体積を小さくし、携帯して戸外で使用できる便利なバスケットゴールの構造である。
【考案の効果】
【０００５】
本考案は骨組み同士の接続を関節タイプにすることで、簡単に手早く戸外で広げて使用し、折り畳んで小さく収納することができる携帯に便利なバスケットゴールである。
【考案を実施するための最良の形態】
【０００６】
第1、2、3、4、5、6、7、8、9図に示すのは、それぞれ本考案の各説明図である。本考案は折り畳み式バスケットゴールであり、主に含まれるのはバックボード(10)、ゴールフレーム(20)、折り畳み骨組み構造(30)、布(50)、シート(60)である。該バックボード(10)は4枚の折り畳みボード(11)から組み立てた四方形のボードであり、折り畳んで収納し、開いて使用する。バックボード(10)の背部に二本の棒(12)を設置する。該ゴールフレーム(20)はバックボード(10)に鎖合して固定する。
【０００７】
該折り畳み式骨組み構造(30)は数本の骨組み一(31)、骨組み二(32)、骨組み三(33)、骨組み四(34)、骨組み五(35)及び数個の接合関節一(36)、接合関節二(37)、接合関節三(38)及び交差形状構造(40)で組み立てる。該骨組み一(31)、骨組み二(32)、骨組み三(33)、骨組み四(34)、骨組み五(35)はそれぞれ長さの異なる丸い棒の骨組みである。骨組み一(31)の上方は半円形を呈し、各骨組み一(31)同士は接合関節一(36)で接続し、折り曲げ可能の関節を形成する。骨組み二(32)と骨組み一(31)はそれぞれ接合関節一(36)、 接合関節二(37)、接合関節三(38)と接合し、折り曲げ可能の関節を形成する。骨組み三(33)は骨組み四(34)よりやや短め、骨組み四(34)は骨組み五(35)よりやや短めである。骨組み四(34)の中央にサイド側に回転できる骨組み四関節(341)を設け、骨組み五(35)の中央にもサイドに回転できる骨組み五関節(351)を設ける。骨組み三(33)、骨組み四(34)、骨組み五(35)は交差形状構造(40)を介し骨組み二(32)と接合し、該接合関節三(38)は二段階回転可能のデザインであり、上段はサイド側に回転することができる。該交差形状構造(40)は二本の交差棒(41)で構成する。該交差棒(41)の中央にねじ穴(411)を設け、二本の交差棒(41)の中央のねじ穴(411)を合わせて鎖合することで回転式の交差形状構造(40)を形成する。
【０００８】
該布(50)はバックボード(10)の両側から骨組み一(31)の末端の間を囲み、ボールが飛び出るのを防ぐ。該シート(60)は骨組み一(31)の間に敷き、シュートした後のボールをキャッチする役割を果たす。
【０００９】
4枚の折り畳みボード(11)の縁を互いに接続し、鎖合板で一枚の折り畳み式バックボード(10)にする。二本の棒(12)をバックボード(10)の背部に設置してバックボード(10)の組み立て完成後、ゴールフレーム(20)をバックボード(10)の上に設置する。骨組み一(31)と骨組み一(31)の間を接合関節一(36)で接合し、各骨組み二(32)をそれぞれ骨組み一(31)と接合関節一(36)、接合関節二(37)、接合関節三(38)と接合する。骨組み三(33)、骨組み四(34)、骨組み五(35)は交差形状構造(40)を介し各骨組み二(32)の下端で接合する。骨組み三(33)、骨組み四(34) 骨組み五(35)の下端に台座(70)を設け、バックボード(10)の背部にある二本の棒(12)を接合関節三(38)の上に固定する。シート(60)を骨組み一(31)の間に敷き、最後に布(50)をバックボード(10)の両側から骨組み一(31)の末端の間に設置する。
【００１０】
収納する際はまずバックボード(10)の背部にある二本の棒(12)を接合関節三(38)から抜き、バックボード(10)をはずしてからゴールフレーム(20)をバックボード(10)から外す。両側の骨組み一(31)を内側に押せば、それぞれ接合関節一(36)、接合関節二(37)、接合関節三(38)と骨組み一(31)と接続する各骨組み二(32)を一緒に内側に折り畳む。交差形状構造(40)を介し骨組み二(32)と接続する骨組み三(33)、骨組み四(34)、骨組み五(35)を互いに寄せ合ってから、接合関節二(37)を支点に、骨組み二(32)を上に回転して骨組み一(31)と接近するよう折り畳む。接合関節二(37)と接合関節一(36)の間の骨組み一(31)を、接合関節一(36)を支点に、骨組み二(32)、骨組み四(34)と接近するよう回転して下向きに押す。骨組み五(35)は中央の骨組み五の関節(351)を中心に、骨組み五(35)の末端を外側に半分折る。接合関節三(38)と接合する骨組み二(32)は、接合関節三(38)を支点に、骨組み四(34)の方向に回転してから骨組み一(31)に近づける。接合関節二(37)と接合関節三(38)の間にある骨組み一(31)は接合関節三(38)を支点に、骨組み二(32)と骨組み四(34)と接近するよう回転して下向きに押す。最後に骨組み四(34)は中央の骨組み四関節(341)を中心に、骨組み四(34)末端を外側に半分折れば、骨組みの折り畳みが完成する。
【図面の簡単な説明】
【００１１】
【図１】本考案の立体図である。
【図２】本考案の折り畳み骨組み構造図である。
【図３】本考案の折り畳み骨組み収納図である。
【図４】本考案の骨組み収納動作一図である。
【図５】本考案の骨組み収納動作二図である。
【図６】本考案の骨組み収納動作三図である。
【図７】本考案の骨組み収納動作四図である。
【図８】本考案の骨組み五の折り畳み略図である。
【図９】本考案の骨組み四の折り畳み略図である。
【符号の説明】
【００１２】
10 バックボード
11 折り畳みボード
12 設置支え棒
20 ゴールフレーム
30 折り畳み骨組み構造
31 骨組み一
32 骨組み二
33 骨組み三
34 骨組み四
341 骨組み四関節
35 骨組み五
351 骨組み五関節
36 接合関節一
37 接合関節二
38 接合関節三
40  交差形状構造
41 交差棒
411 ねじ穴
50 布
60 シート
70  台座
【図１】
0003141201.tif 000003
【図２】
0003141201.tif 000004
【図３】
0003141201.tif 000005
【図４】
0003141201.tif 000006
【図５】
0003141201.tif 000007
【図６】
0003141201.tif 000008
【図７】
0003141201.tif 000009
【図８】
0003141201.tif 000010
【図９】
0003141201.tif 000011